(57)【要約】  【課題】  保険が適用されない運転者が情報記憶器を所持して車両に乗り込んだとき、保険が適用されない運転者の運転を制限することができる警告装置を提供すること。  【解決手段】  運転者毎の情報を記憶する情報記憶器１１０と通信する通信部１２１と、情報記憶器１１０から受信した情報に基づいて運転者が保険契約に適合するか否かを判定する保険適合判定部１２６と、保険適合判定部１２６の判定結果に従って警告を発する警告部１２７とを備えるよう構成した。【選択図】  図１
2004171534.tif 000002
【特許請求の範囲】
【請求項１】
運転者の属性を示す運転者情報を受信する受信部と、
保険契約条件を示す保険契約情報を記憶する記憶部と、
前記受信部によって受信された運転者情報と前記記憶部によって記憶された保険契約情報とを照合して運転者の属性が保険契約条件に適合しているか否かを判定する保険適合判定部と、
前記保険適合判定部によって適合していないと判定されると警告を発する警告部とを備えることを特徴とする警告装置。
【請求項２】
前記保険適合判定部によって適合していると判定されると運転許可を示す運転許可信号を出力する運転許可信号出力部を備えることを特徴とする請求項１に記載の警告装置。
【請求項３】
前記保険適合判定部によって適合していないと判定されると運転不許可を示す運転不許可信号を出力する運転不許可信号出力部を備えることを特徴とする請求項１に記載の警告装置。
【請求項４】
前記受信部は、無線通信によって運転者情報を受信することを特徴とする請求項１ないし請求項３のいずれかに記載の警告装置。
【請求項５】
前記記憶部は装置に着脱可能なメモリであって、前記メモリには保険契約情報が予め記憶されていることを特徴とする請求項１ないし請求項４のいずれかに記載の警告装置。
【請求項６】
保険契約情報を通信によって取得する取得部を備え、
前記記憶部は、前記取得部によって取得された保険契約情報を記憶することを特徴とする請求項１ないし請求項４のいずれかに記載の警告装置。
【請求項７】
前記保険適合判定部は、前記取得部の取得動作に要する時間が所定の時間を超過すると、前記記憶部に既に記憶されている保険契約情報に基づいて判定することを特徴とする請求項６に記載の警告装置。
【請求項８】
運転者の属性を示す運転者情報を受信する受信部と、
保険契約条件を示す保険契約情報を通信によって提供する提供部と、
前記提供部によって提供された保険契約情報を通信によって取得する取得部と、
前記取得部によって取得された保険契約情報を記憶する記憶部と、
前記受信部によって受信された運転者情報と前記取得部によって取得された保険契約情報とを照合して運転者の属性が保険契約条件に適合しているか否かを判定する保険適合判定部と、
前記保険適合判定部によって適合していないと判定されると警告を発する警告部とを備えることを特徴とする警告システム。
【請求項９】
前記保険適合判定部によって適合していると判定されると運転許可を示す運転許可信号を出力する運転許可信号出力部を備えることを特徴とする請求項８に記載の警告システム。
【請求項１０】
前記保険適合判定部によって適合していないと判定されると運転不許可を示す運転不許可信号を出力する運転不許可信号出力部を備えることを特徴とする請求項９に記載の警告システム。
【請求項１１】
前記受信部は、無線通信によって運転者情報を受信することを特徴とする請求項８ないし請求項１０のいずれかに記載の警告システム。
【請求項１２】
前記保険適合判定部は、前記取得部の取得動作に要する時間が所定の時間を超過すると、前記記憶部に既に記憶されている保険契約情報に基づいて判定することを特徴とする請求項８ないし請求項１１のいずれかに記載の警告システム。
【請求項１３】
運転者の属性を示す運転者情報を記憶する情報記憶器を備え、
前記受信部は、前記情報記憶器から運転者情報を受信することを特徴する請求項８ないし請求項１２のいずれかに記載の警告システム。
【請求項１４】
前記情報記憶器は、電子キーであることを特徴とする請求項１３に記載の警告システム。
【請求項１５】
前記情報記憶器は、運転者毎の運転免許情報を含む運転者情報を記憶した電子運転免許証であることを特徴とする請求項１３に記載の警告システム。
【請求項１６】
前記電子運転免許証に記憶された運転者情報に基づいて前記電子運転免許証を診断する運転免許診断部を備えることを特徴とする請求項１５に記載の警告システム。
【請求項１７】
運転者の属性を示す運転者情報を受信する受信部と、
保険契約条件を示す保険契約情報を記憶する記憶部と、
前記受信部によって受信された運転者情報と前記記憶部によって記憶された保険契約情報とを照合して運転者の属性が保険契約条件に適合しているか否かを判定する保険適合判定部と、
前記保険適合判定部による判定結果情報を提供する判定結果提供部とを備えることを特徴とする警告サーバ。
【請求項１８】
前記保険適合判定部からの判定結果情報を記憶する判定結果情報記憶部を備えることを特徴とする請求項１７に記載の警告サーバ。
【請求項１９】
前記判定結果提供部が判定結果情報を提供した提供先において運転が開始されたか否かを示す運転開始情報を取得する運転開始情報取得部を備え、
前記判定結果記憶部は、前記運転開始情報取得部によって取得された運転開始情報と前記保険適合判定部の判定結果情報とを関連付けて管理情報として記憶することを特徴とする請求項１８に記載の警告サーバ。
【請求項２０】
前記判定結果蓄積記憶部に記憶された管理情報に基づいて保険料課金モデルを決定する課金モデル決定部を備えることを特徴する請求項１９に記載の警告サーバ。
【請求項２１】
運転者の属性を示す運転者情報を受信する受信部と、
保険契約条件を示す保険契約情報を記憶する記憶部と、
前記受信部によって受信された運転者情報と前記記憶部によって記憶された保険契約情報とを照合して運転者の属性が保険契約条件に適合しているか否かを判定する保険適合判定部と、
前記保険適合判定部による判定結果を提供する判定結果提供部と、
前記判定結果提供部によって提供された判定結果が不適合である旨を示す結果であれば警告を発する警告部とを備えることを特徴とする警告システム。
【請求項２２】
前記保険適合判定部によって適合していると判定されると運転許可を示す運転許可信号を出力する運転許可信号出力部を備えることを特徴とする請求項２１に記載の警告システム。
【請求項２３】
前記保険適合判定部によって適合していないと判定されると運転不許可を示す運転不許可信号を出力する運転不許可信号出力部を備えることを特徴とする請求項２１に記載の警告システム。
【請求項２４】
前記保険適合判定部からの判定結果情報を記憶する判定結果情報記憶部を備えることを特徴とする請求項２１ないし請求項２３のいずれかに記載の警告システム。
【請求項２５】
前記判定結果提供部が判定結果情報を提供した提供先において運転が開始されたか否かを示す運転開始情報を取得する運転開始情報取得部を備え、
前記判定結果記憶部は、前記運転開始情報取得部によって取得された運転開始情報と前記保険適合判定部の判定結果情報とを関連付けて管理情報として記憶することを特徴とする請求項２４に記載の警告システム。
【請求項２６】
前記判定結果蓄積記憶部に記憶された管理情報に基づいて保険料課金モデルを決定する課金モデル決定部を備えることを特徴する請求項２５に記載の警告システム。
【請求項２７】
運転者の属性を示す運転者情報を記憶する情報記憶器を備え、
前記受信部は、前記情報記憶器から運転者情報を受信することを特徴する請求項２１ないし請求項２６のいずれかに記載の警告システム。
【請求項２８】
前記情報記憶器は、電子キーであることを特徴とする請求項２７に記載の警告システム。
【請求項２９】
前記情報記憶器は、運転者毎の運転免許情報を含む運転者情報を記憶した電子運転免許証であることを特徴とする請求項２７に記載の警告システム。
【請求項３０】
前記電子運転免許証に記憶された運転者情報に基づいて前記電子運転免許証を診断する運転免許診断部を備えることを特徴とする請求項２９に記載の警告システム。
【請求項３１】
運転者の属性を示す運転者情報を受信する受信部と、
保険契約条件を示す保険契約情報を記憶する記憶部と、
前記受信部によって受信された運転者情報と前記記憶部によって記憶された保険契約情報とを照合して運転者の属性が保険契約条件に適合しているか否かを判定する保険適合判定部と、
前記保険適合判定部の判定結果に従って車両動作の規制を示す動作規制信号を出力する動作規制信号出力部とを備えることを特徴とする車両。
【請求項３２】
前記保険適合判定部によって適合していないと判定されると警告を発する警告部とを備えることを特徴とする請求項３１に記載の車両。
【請求項３３】
前記受信部が、無線通信によって運転者情報を受信することを特徴とする請求項３１または請求項３２のいずれかに記載の車両。
【請求項３４】
前記記憶部は、前記記憶部は装置に着脱可能なメモリであって、前記メモリには保険契約情報が予め記憶されていることを特徴とする請求項３１ないし請求項３３のいずれかに記載の車両。
【請求項３５】
保険契約情報を通信によって取得する取得部を備え、
前記記憶部は、前記取得部によって取得された保険契約情報を記憶することを特徴とする請求項３１ないし請求項３３のいずれかに記載の車両。
【請求項３６】
前記保険適合判定部は、前記取得部の取得動作に要する時間が所定の時間を超過すると、前記記憶部に既に記憶されている保険契約情報に基づいて判定することを特徴とする請求項３５に記載の車両。
【発明の詳細な説明】
【技術分野】
【０００１】
本発明は、車両を運転する人を制限する警告装置、警告サーバ、警告システムおよび車両に関する。
【背景技術】
【０００２】
従来の警告装置として、運転免許情報を記憶させたメモリカード（以下、「電子運転免許証」という）に保険契約満了日と保険会社電話番号を予め記憶させておき、保険契約満了日が経過するときに保険会社の通信端末と通信し、保険の更新を行うものが開示されている（例えば特許文献１を参照）。
【特許文献１】特開平８−９６０４２号公報（図２２−２７、第１６−１９頁）
【発明の開示】
【発明が解決しようとする課題】
【０００３】
従来の警告装置においては、車両に保険が掛けられている場合であっても、運転者の勘違い等によって、運転者が適用されると考えていた保険が実際には契約上適用されないというトラブルが発生する問題があった。例えば、運転者が２９歳であって、３０歳未満不担保の年齢制限付きで契約がされているのに年齢制限があることを知らなかった場合や、年齢制限があることを知っていても保険適用の範囲内であると誤認識していた場合（例えば３０歳未満不担保なのに２０歳未満不担保と制限年齢を誤認識していた場合）には、保険が適用されると勘違いして運転してしまうという問題があった。また、例えば、被保険者の家族でない者が家族限定付きで契約されていることを知らなかった場合や、被保険者の家族であっても保険適用の範囲内であると誤認識していた場合（例えば被保険者と同居あるいは未婚の家族であることが条件であるために、被保険者と別居した既婚の家族は保険適用の範囲外となるが、この別居した既婚の家族が保険適用の範囲外になったことを知らなかった場合）には、保険が適用されると勘違いして運転してしまうという問題があった。
【０００４】
本発明はこのような問題を解決するためになされたもので、保険が適用されない運転者の運転を制限することができる警告装置を提供するものである。
【課題を解決するための手段】
【０００５】
本発明に係る警告装置は、運転者の属性を示す運転者情報を受信する受信部と、保険契約条件を示す保険契約情報を記憶する記憶部と、前記受信部によって受信された運転者情報と前記記憶部によって記憶された保険契約情報とを照合して運転者の属性が保険契約条件に適合しているか否かを判定する保険適合判定部と、前記保険適合判定部によって適合していないと判定されると警告を発する警告部とを備えることを特徴とする構成を有している。
【０００６】
この構成によって、運転者が車両に乗り込んだとき、運転者が保険契約に適合しない場合には警告が発せられて、運転者が運転しないことになり、保険が適用されない運転者の運転を制限することができる。
【０００７】
本発明に係る警告装置は、前記保険適合判定部によって適合していると判定されると運転許可を示す運転許可信号を出力する運転許可信号出力部を備えることを特徴とする構成を有している。
【０００８】
この構成によって、エンジン制御装置やミッション制御装置などと連携させることができることになり、保険が適用されない運転者の運転を阻止することができる。
【０００９】
本発明に係る警告装置は、前記保険適合判定部によって適合していないと判定されると運転不許可を示す運転不許可信号を出力する運転不許可信号出力部を備えることを特徴とする構成を有している。
【００１０】
この構成によって、エンジン制御装置やミッション制御装置などと連携させることができることになり、保険が適用されない運転者の運転を阻止することができる。
【００１１】
本発明に係る警告装置において、前記受信部は、無線通信によって運転者情報を受信することを特徴とする構成を有している。
【００１２】
この構成によって、何も接触させることなく、保険が適用されない運転者の運転を制限することができる。
【００１３】
本発明に係る警告装置において、前記記憶部は装置に着脱可能なメモリであって、前記メモリには保険契約情報が予め記憶されていることを特徴とする構成を有している。
【００１４】
この構成によって、最新の保険契約情報が記憶されたメモリを装置に装着するだけで、最新の保険契約情報に基づく判定を容易に実現することができる。
【００１５】
本発明に係る警告装置は、保険契約情報を通信によって取得する取得部を備え、前記記憶部は、前記取得部によって取得された保険契約情報を記憶することを特徴とする構成を有している。
【００１６】
この構成によって、最新の保険契約情報が通信によって取得されるので、最新の保険契約情報に基づく判定を容易に実現することができる。
【００１７】
本発明に係る警告装置において、前記保険適合判定部は、前記取得部の取得動作に要する時間が所定の時間を超過すると、前記記憶部に既に記憶されている保険契約情報に基づいて判定することを特徴とする構成を有している。
【００１８】
この構成によって、最新の保険契約情報を取得するのに時間がかかる場合であっても、適合するか否かの判定動作を速やかに完了することができる。
【００１９】
本発明に係る警告システムは、運転者の属性を示す運転者情報を受信する受信部と、保険契約条件を示す保険契約情報を通信によって提供する提供部と、前記提供部によって提供された保険契約情報を通信によって取得する取得部と、前記取得部によって取得された保険契約情報を記憶する記憶部と、前記受信部によって受信された運転者情報と前記取得部によって取得された保険契約情報とを照合して運転者の属性が保険契約条件に適合しているか否かを判定する保険適合判定部と、前記保険適合判定部によって適合していないと判定されると警告を発する警告部とを備えることを特徴とする構成を有している。
【００２０】
この構成によって、運転者が車両に乗り込んだとき、運転者が保険契約に適合しない場合には警告が発せられて、運転者が運転しないことになり、保険が適用されない運転者の運転を制限することができる。
【００２１】
本発明に係る警告システムは、前記保険適合判定部によって適合していると判定されると運転許可を示す運転許可信号を出力する運転許可信号出力部を備えることを特徴とする構成を有している。
【００２２】
この構成によって、エンジン制御装置やミッション制御装置と連携させることができることになり、保険が適用されない運転者の運転を阻止することができる。
【００２３】
本発明に係る警告システムは、前記保険適合判定部によって適合していないと判定されると運転不許可を示す運転不許可信号を出力する運転不許可信号出力部を備えることを特徴とする構成を有している。
【００２４】
この構成によって、エンジン制御装置やミッション制御装置などと連携させることができることになり、保険が適用されない運転者の運転を阻止することができる。
【００２５】
本発明に係る警告システムにおいて、前記受信部は、無線通信によって運転者情報を受信することを特徴とする構成を有している。
【００２６】
この構成によって、何も接触させることなく、保険が適用されない運転者の運転を制限することができる。
【００２７】
本発明に係る警告システムにおいて、前記保険適合判定部は、前記取得部の取得動作に要する時間が所定の時間を超過すると、前記記憶部に既に記憶されている保険契約情報に基づいて判定することを特徴とする構成を有している。
【００２８】
この構成によって、最新の保険契約情報を取得するのに時間がかかる場合であっても、適合するか否かの判定動作を速やかに完了することができる。
【００２９】
本発明に係る警告システムは、運転者の属性を示す運転者情報を記憶する情報記憶器を備え、前記受信部は、前記情報記憶器から運転者情報を受信することを特徴する構成を有している。
【００３０】
この構成によって、情報記憶器を所持した運転者が車両に乗り込んだとき、運転者が保険契約に適合しない場合には警告が発せられて、運転者が運転しないことになり、保険が適用されない運転者の運転を制限することができる。
【００３１】
本発明に係る警告システムにおいて、前記情報記憶器は電子キーであることを特徴とする構成を有している。
【００３２】
この構成によって、エンジンの始動に必要な電子キーを所持した運転者が車両に乗り込んだとき、運転者が保険契約に適合しない場合には警告が発せられて、運転者が運転しないことになり、保険が適用されない運転者の運転を制限することができる。
【００３３】
本発明に係る警告システムにおいて、前記情報記憶器は、運転者毎の運転免許情報を含む運転者情報を記憶した電子運転免許証であることを特徴とする構成を有している。
【００３４】
この構成によって、運転の際に必ず携帯すべき電子運転免許証を所持した運転者が車両に乗り込んだとき、運転者が保険契約に適合しない場合には警告が発せられて、運転者が運転しないことになり、保険が適用されない運転者の運転を制限することができる。
【００３５】
本発明に係る警告システムは、前記電子運転免許証に記憶された運転者情報に基づいて前記電子運転免許証を診断する運転免許診断部を備えることを特徴とする構成を有している。
【００３６】
この構成によって、運転者の運転免許証が正規のものでない場合や運転者の運転免許が車両を運転するのに適合しない場合、警告が発せられて、運転者が運転しないことになり、運転者の運転を制限することができる。
【００３７】
本発明に係る警告サーバは、運転者の属性を示す運転者情報を受信する受信部と、保険契約条件を示す保険契約情報を記憶する記憶部と、前記受信部によって受信された運転者情報と前記記憶部によって記憶された保険契約情報とを照合して運転者の属性が保険契約条件に適合しているか否かを判定する保険適合判定部と、前記保険適合判定部による判定結果情報を提供する判定結果提供部とを備えることを特徴とする構成を有している。
【００３８】
この構成によって、判定処理がサーバ側で最新の保険契約情報に基づいて行われるので、最新の保険契約情報に基づく判定を効率よく実現することができる。
【００３９】
本発明に係る警告サーバは、前記保険適合判定部からの判定結果情報を記憶する判定結果情報記憶部を備えることを特徴とする構成を有している。
【００４０】
この構成によって、運転者が保険契約条件に適合するか否かが判定結果情報に基づいて確認されるので、保険契約条件に適合しない運転者が事故を起こした場合に、保険会社は当該事故に対して保険を適用できない旨を被保険者に伝えることができる。
【００４１】
本発明に係る警告サーバは、前記判定結果提供部が判定結果情報を提供した提供先において運転が開始されたか否かを示す運転開始情報を取得する運転開始情報取得部を備え、前記判定結果記憶部は、前記運転開始情報取得部によって取得された運転開始情報と前記保険適合判定部の判定結果情報とを関連付けて管理情報として記憶することを特徴とする構成を有している。
【００４２】
この構成によって、保険契約条件に適合する者が運転を行ったか否かが管理情報に基づいて確認されるので、保険契約条件に適合しない運転者が事故を起こした場合に、保険会社は当該事故に対して保険を適用できない旨を被保険者に断言することができる。また、被保険者が保険契約条件を遵守しているか否かが管理情報に基づいて確認されるので、保険会社は保険契約条件を遵守している被保険者に対して有利な保険料課金モデルを適用することができる。
【００４３】
本発明に係る警告サーバは、前記判定結果蓄積記憶部に記憶された管理情報に基づいて保険料課金モデルを決定する課金モデル決定部を備えることを特徴する構成を有している。
【００４４】
この構成によって、課金モデルが自動的に決定されるので、保険契約条件を遵守している被保険者に対して有利な保険料課金モデルを自動的に適用することができる。
【００４５】
本発明に係る警告システムは、運転者の属性を示す運転者情報を受信する受信部と、保険契約条件を示す保険契約情報を記憶する記憶部と、前記受信部によって受信された運転者情報と前記記憶部によって記憶された保険契約情報とを照合して運転者の属性が保険契約条件に適合しているか否かを判定する保険適合判定部と、前記保険適合判定部による判定結果を提供する判定結果提供部と、前記判定結果提供部によって提供された判定結果が不適合である旨を示す結果であれば警告を発する警告部とを備えることを特徴とする構成を有している。
【００４６】
この構成によって、情報記憶器を所持した運転者が車両に乗り込んだとき、運転者が保険契約に適合しない場合には警告が発せられて、運転者が運転しないことになり、保険が適用されない運転者の運転を制限することができる。
【００４７】
本発明に係る警告システムは、前記保険適合判定部によって適合していると判定されると運転許可を示す運転許可信号を出力する運転許可信号出力部を備えることを特徴とする構成を有している。
【００４８】
この構成によって、エンジン制御装置やミッション制御装置と連携させることができることになり、保険が適用されない運転者の運転を阻止することができる。
【００４９】
本発明に係る警告システムは、前記保険適合判定部によって適合していないと判定されると運転不許可を示す運転不許可信号を出力する運転不許可信号出力部を備えることを特徴とする構成を有している。
【００５０】
この構成によって、エンジン制御装置やミッション制御装置と連携させることができることになり、保険が適用されない運転者の運転を阻止することができる。
【００５１】
本発明に係る警告システムは、前記保険適合判定部からの判定結果情報を記憶する判定結果情報記憶部を備えることを特徴とする構成を有している。
【００５２】
この構成によって、運転者が保険契約条件に適合するか否かが判定結果情報に基づいて確認されるので、保険契約条件に適合しない運転者が事故を起こした場合に、保険会社は当該事故に対して保険を適用できない旨を被保険者に伝えることができる。
【００５３】
本発明に係る警告システムは、前記判定結果提供部が判定結果情報を提供した提供先において運転が開始されたか否かを示す運転開始情報を取得する運転開始情報取得部を備え、前記判定結果記憶部は、前記運転開始情報取得部によって取得された運転開始情報と前記保険適合判定部の判定結果情報とを関連付けて管理情報として記憶することを特徴とする構成を有している。
【００５４】
この構成によって、保険契約条件に適合する者が運転を行ったか否かが管理情報に基づいて確認されるので、保険契約条件に適合しない運転者が事故を起こした場合に、保険会社は当該事故に対して保険を適用できない旨を被保険者に断言することができる。また、被保険者が保険契約条件を遵守しているか否かが管理情報に基づいて確認されるので、保険会社は保険契約条件を遵守している被保険者に対して有利な保険料課金モデルを適用することができる。
【００５５】
本発明に係る警告システムは、前記判定結果蓄積記憶部に記憶された管理情報に基づいて保険料課金モデルを決定する課金モデル決定部を備えることを特徴する構成を有している。
【００５６】
この構成によって、課金モデルが自動的に決定されるので、保険契約条件を遵守している被保険者に対しては有利な保険料課金モデルを自動的に適用することができる。
【００５７】
本発明に係る警告システムは、運転者の属性を示す運転者情報を記憶する情報記憶器を備え、前記受信部は、前記情報記憶器から運転者情報を受信することを特徴する構成を有している。
【００５８】
この構成によって、情報記憶器を所持した運転者が車両に乗り込んだとき、運転者が保険契約に適合しない場合には警告が発せられて、運転者が運転しないことになり、保険が適用されない運転者の運転を制限することができる。
【００５９】
本発明に係る警告システムにおいて、前記情報記憶器は電子キーであることを特徴とする構成を有している。
【００６０】
この構成によって、エンジンの始動に必要な電子キーを所持した運転者が車両に乗り込んだとき、運転者が保険契約に適合しない場合には警告が発せられて、運転者が運転しないことになり、保険が適用されない運転者の運転を制限することができる。
【００６１】
本発明に係る警告システムにおいて、前記情報記憶器は、運転者毎の運転免許情報を含む運転者情報を記憶した電子運転免許証であることを特徴とする構成を有している。
【００６２】
この構成によって、運転の際に必ず携帯すべき電子運転免許証を所持した運転者が車両に乗り込んだとき、運転者が保険契約に適合しない場合には警告が発せられて、運転者が運転しないことになり、保険が適用されない運転者の運転を制限することができる。
【００６３】
本発明に係る警告システムは、前記電子運転免許証に記憶された運転者情報に基づいて前記電子運転免許証を診断する運転免許診断部を備えることを特徴とする構成を有している。
【００６４】
この構成によって、運転者の運転免許証が正規のものでない場合や運転者の運転免許が車両を運転するのに適合しない場合、警告が発せられて、運転者が運転しないことになり、運転者の運転を制限することができる。
【００６５】
本発明に係る車両は、運転者の属性を示す運転者情報を受信する受信部と、保険契約条件を示す保険契約情報を記憶する記憶部と、前記受信部によって受信された運転者情報と前記記憶部によって記憶された保険契約情報とを照合して運転者の属性が保険契約条件に適合しているか否かを判定する保険適合判定部と、前記保険適合判定部の判定結果に従って車両動作の規制を示す動作規制信号を出力する動作規制信号出力部とを備えることを特徴とする構成を有している。
【００６６】
この構成によって、エンジン制御装置やミッション制御装置などと連携して、保険が適用されない運転者の運転を阻止することができる。
【００６７】
本発明に係る車両は、前記保険適合判定部によって適合していないと判定されると警告を発する警告部を備えることを特徴とする構成を有している。
【００６８】
この構成によって、運転者が車両に乗り込んだとき、運転者が保険契約に適合しない場合には警告が発せられて、運転者が運転しないことになり、保険が適用されない運転者の運転を制限することができる。
【００６９】
本発明に係る車両において、前記受信部は、無線通信によって運転者情報を受信することを特徴とする構成を有している。
【００７０】
この構成によって、何も接触させることなく、保険が適用されない運転者の運転を制限することができる。
【００７１】
本発明に係る車両において、前記記憶部は、前記記憶部は装置に着脱可能なメモリであって、前記メモリには保険契約情報が予め記憶されていることを特徴とする構成を有している。
【００７２】
この構成によって、最新の保険契約情報が記憶されたメモリを装置に装着するだけで、最新の保険契約情報に基づく判定を容易に実現することができる。
【００７３】
本発明に係る車両は、保険契約情報を通信によって取得する取得部を備え、前記記憶部は、前記取得部によって取得された保険契約情報を記憶することを特徴とする構成を有している。
【００７４】
この構成によって、最新の保険契約情報が通信によって取得されるので、最新の保険契約情報に基づく判定を容易に実現することができる。
【００７５】
本発明に係る車両において、前記保険適合判定部は、前記取得部の取得動作に要する時間が所定の時間を超過すると、前記記憶部に既に記憶されている保険契約情報に基づいて判定することを特徴とする構成を有している。
【００７６】
この構成によって、最新の保険契約情報を取得するのに時間がかかる場合であっても、適合するか否かの判定動作を速やかに完了することができる。
【発明の効果】
【００７７】
本発明は、運転者情報と保険契約情報とを照合して運転者の属性が保険契約条件に適合しているか否かを判定する保険適合判定部と、前記保険適合判定部によって適合していないと判定されると警告を発する警告部とを設けることによって、保険が適用されない運転者の運転を制限することができるという優れた効果を有する警告装置を提供することができるという効果を有する警告装置、警告サーバ、警告システムおよび車両を提供することができるものである。
【発明を実施するための最良の形態】
【００７８】
以下、本発明の実施の形態について、図面を用いて説明する。
【００７９】
（第１の実施の形態）
図１を参照して本発明の第１の実施の形態である警告システム１００について説明する。図１に示すように、警告システム１００は、電子運転免許証１１０および警告装置１２０を備える。警告装置１２０は、情報記憶器としての機能を有し車両に載置され運転者が所持する電子運転免許証１１０と通信し、電子運転免許証１１０に記憶されている運転者毎の運転免許情報（運転者情報）を受信して、運転者の運転を制限するか否かを判定するようになっている。
【００８０】
電子運転免許証１１０は、運転者毎の運転免許情報その他の情報を記憶する記憶部１１１と、記憶部１１１に記憶された運転免許情報その他の情報を暗号化する暗号処理部１１２と、暗号処理部１１２によって暗号化された運転免許情報その他の情報を警告装置１２０に送信する通信部１１３とを備える。
【００８１】
警告装置１２０は、受信部としての機能を有し電子運転免許証１１０から運転免許情報その他の情報を受信する通信部１２１と、電子運転免許証１１０から受信した運転免許情報その他の情報を復号化する暗号処理部１２２と、保険契約情報を記憶する記憶部１２３と、現在日時を計時する時計部１２４と、電子運転免許証１１０から受信した運転免許情報が正規であるか否かを診断する運転免許診断部１２５と、運転免許情報および保険契約情報を参照して、運転者が保険契約に適合するか否かを判定する保険適合判定部１２６と、運転免許診断部１２５によって運転免許情報が正規でないと診断された場合に警告を発するとともに、保険適合判定部１２６によって運転者が保険契約に適合しないと判定された場合に警告を発する警告部１２７と、運転免許診断部１２５および保険適合判定部１２６の判定結果に従って、運転許可を示す運転許可信号を出力する運転許可信号出力部１２８と、記憶部１２３に情報を設定する設定部１２９とを備える。
【００８２】
運転免許情報には、運転者氏名、運転者生年月日、運転者住所、運転免許有効期限、運転免許番号、運転免許車種、交通違反点数、などの情報が含まれる。
【００８３】
保険契約情報には、被契約者氏名、車両情報、契約満了日、年齢制限がある場合の制限年齢、家族限定がある場合の限定内容、保険番号、保険限度額、などの情報が含まれる。
【００８４】
警告装置１２０の運転免許診断部１２５は、例えば、電子運転免許証１１０から受信した運転免許情報の形式が正しいか否かを判定するようになっている。また、例えば、電子運転免許証１１０から受信した交通違反点数が予め決められた点数以下であるか否かを判定するようになっている。また、例えば、電子運転免許証１１０から受信した運転免許車種が車両に適合するか否かを判定するようになっている。また、例えば、電子運転免許証１１０から受信した運転免許有効期限に基づいて現在年月日が運転免許有効期限内であるか否かを判定するようになっている。
【００８５】
警告装置１２０の保険適合判定部１２６は、例えば、電子運転免許証１１０から受信した運転者生年月日と現在年月日とに基づいて計算した運転者年齢と警告装置１２０の記憶部１２３に記憶された制限年齢とを比較して、運転者が保険契約に適合するか否かを判定するようになっている。また、例えば、電子運転免許証１１０から受信した運転者氏名と警告装置１２０の記憶部１２３に記憶された被保険者氏名とを比較して、被保険者でない場合には、さらに家族限定の限定内容に適合するか否かを判定するようになっている。また、例えば、警告装置１２０の記憶部１２３に記憶された契約満了日と現在年月日とに基づいて契約満了日が過ぎていないか否かを判定するようになっている。
【００８６】
警告装置１２０の警告部１２７は、例えば、正規の電子運転免許証でない旨や、保険に適合しない旨の警告を表示する。また、例えば、正規の電子運転免許証でない旨や、保険に適合しない旨の音声出力を行う。
【００８７】
なお、警告装置１２０の設定部１２９によって警告装置１２０の記憶部１２３に保険契約内容を詳細に設定することにより、運転者が保険に適合するか否かを確実に判定することできるが、詳細な内容が設定されていない場合、警告装置１２０の警告部１２７は、運転者に確認を促す警告を発するようになっている。例えば、家族限定の範囲内となる限定家族氏名が警告装置１２０の記憶部１２３に記憶されており、かつ、運転者が被保険者でない場合には、警告装置１２０の保険適合判定部１２６が電子運転免許証１１０に記憶された運転者氏名と限定家族氏名とを比較して保険適用の有無を判定する。また、限定家族氏名が警告装置１２０の記憶部１２３に記憶されておらず、かつ、運転者が被保険者でない場合には、警告装置１２０の警告部１２７が、家族限定がある旨と、家族限定の条件（例えば被保険者「Ｘ」と別居した既婚の家族である場合には適用されないこと）を運転者に警告する。
【００８８】
以下、本実施の形態の警告装置１２０の動作について説明する。運転者が車両に乗り込んだとき、電子運転免許証１１０の記憶部１１１に記憶された運転免許情報は、電子運転免許証１１０の暗号処理部１１２によって暗号化され、電子運転免許証１１０の通信部１１３によって車両側の警告装置１２０に送信され、警告装置１２０の通信部１２１によって受信され、警告装置１２０の暗号処理部１２２によって復号化される。
【００８９】
次に、警告装置１２０の運転免許診断部１２５によって、運転免許情報が正規な情報か否かが判定される。ここで、「正規な情報か否か」とは、運転免許情報の形式が正しいか否か、交通違反点数が予め決められた点数以下であるか否か、運転免許車種が車両に適合するか否か、運転免許有効期限に基づいて現在年月日が有効期限内であるか否かなどをいう。
【００９０】
運転免許情報が正規な情報ではないとの判定がなされると、警告装置１２０の警告部１２７によって警告が発せられ、警告装置１２０の運転許可信号出力部１２８から出力される運転許可信号がオフ状態となって運転禁止を示し、エンジン制御装置１３１およびミッション制御装置１３２によって車両の運転が阻止される。
【００９１】
運転免許情報が正規な情報であるとの判定がなされると、警告装置１２０の保険適合判定部１２６によって、電子運転免許証１１０から受信した運転免許情報、警告装置１２０の記憶部１２３に記憶された保険契約情報、および警告装置１２０の時計部１２４が生成した現在年月日とが参照され、運転者が保険契約に適合しているか否かが判定される。例えば、電子運転免許証１１０から受信した運転者生年月日と現在年月日とで演算した運転者年齢と、警告装置１２０の記憶部１２３に記憶された制限年齢とを比較して、運転者が保険契約に適合するか否かが判定される。また、例えば、電子運転免許証１１０から受信した運転者氏名を警告装置１２０の記憶部１２３に記憶された被保険者氏名や限定家族氏名と比較して、運転者が保険契約に適合するか否かを判定する。また、警告装置１２０の記憶部１２３に記憶された契約満了日と現在年月日とに基づいて契約満了日を過ぎていないか否かを判定する。
【００９２】
運転者が保険契約に適合していない場合には、警告装置１２０の警告部１２７によって、保険契約に適合していない旨の警告が発せられるとともに、警告装置１２０の運転許可信号出力部１２８によって、運転許可信号がオフ状態となって運転禁止を示し、車両に設けられたエンジン制御装置１３１およびミッション制御装置１３２によって車両の運転が阻止される。
【００９３】
本実施の形態では、運転許可信号出力部１２８が警告装置１２０に設けられているが、警告装置１２０が運転不許可を示す運転不許可信号を出力する運転不許可信号出力部を備える構成でもよい。この構成による場合、運転不許可信号がオン状態になると、車両に設けられたエンジン制御装置１３１およびミッション制御装置１３２によって車両の運転が阻止される。
【００９４】
本実施の形態では、警告装置１２０は車両と別個に設けられているが、警告装置１２０が車両と一体化して設けられてもよい。このとき、警告装置１２０は、保険適合判定部１２６の判定結果に従って車両動作の規制を示す動作規制信号を出力する動作規制信号出力部を備え、エンジン制御装置１３１およびミッション制御装置１３２は動作規制信号出力部からの動作規制信号によって車両の動作を阻止するようにしてもよい。
【００９５】
以上説明したように、本実施の形態の警告装置１２０は、運転者毎の運転免許情報を記憶する電子運転免許証１１０と通信する通信部１２１と、電子運転免許証１１０から受信した運転免許情報に基づいて運転者が保険契約に適合するか否かを判定する保険適合判定部１２６と、保険適合判定部１２６の判定結果に従って警告を発する警告部１２７とを備えるので、電子運転免許証１１０を所持した運転者が車両に乗り込んだとき、運転者が保険契約に適合しない場合には警告が発せられて、運転者が運転しないことになり、保険が適用されない運転者の運転を制限することができる。
【００９６】
また、本実施の形態の警告装置１２０は、保険適合判定部１２６の判定結果に従って運転許可を示す運転許可信号を出力する運転許可信号出力部１２８を備えるので、エンジン制御装置１３１やミッション制御装置１３２と連携させることができることになり、保険が適用されない運転者の運転を完全に阻止することができる。
【００９７】
なお、電子運転免許証１１０が非接触ＩＣカード型の運転免許証であって、警告装置１２０の通信部１２１が、電子運転免許証１１０と非接触で通信するようにしてもよい。この構成により、電子運転免許証１１０と非接触で、保険が適用されない運転者の運転を制限することができる。
【００９８】
（第２の実施の形態）
図１を参照して本発明の第２の実施の形態の警告システム１００について説明する。本実施の形態においては、電子運転免許証１１０が、運転者毎の運転免許情報とあわせて保険契約情報を予め記憶するようになっている。また、警告装置１２０の保険適合判定部１２６が、電子運転免許証１１０から受信した運転免許情報ならびに保険契約情報と、警告装置１２０の時計部１２４が生成した現在年月日とを参照し、運転者が保険契約に適合しているか否かを判定するようになっている。
【００９９】
警告装置１２０の保険適合判定部１２６は、例えば、電子運転免許証１１０から受信した運転者生年月日と現在年月日とに基づいて計算した運転者年齢と、電子運転免許証１１０から受信した制限年齢とを比較して、運転者が保険契約に適合するか否かを判定するようになっている。また、例えば、警告装置１２０の保険適合判定部１２６は、電子運転免許証１１０から受信した運転者氏名と電子運転免許証１１０の記憶部１１１に予め記憶された被保険者氏名とを比較して、被保険者でない場合には、さらに家族限定の限定内容に適合するか否かを判定する。また、警告装置１２０の保険適合判定部１２６は、電子運転免許証１１０から受信した契約満了日と現在年月日とに基づいて契約満了日が過ぎていないか否かを判定する。
【０１００】
運転者が保険契約に適合していない場合には、警告部１２７によって、保険契約に適合していない旨の警告が発せられるとともに、運転許可信号出力部１２８によって、運転許可信号がオフ状態となって運転禁止を示し、エンジン制御装置１３１およびミッション制御装置１３２によって車両の運転が阻止される。
【０１０１】
本実施の形態では、運転許可信号出力部１２８が警告装置１２０に設けられているが、警告装置１２０が運転不許可を示す運転不許可信号を出力する運転不許可信号出力部を備える構成でもよい。この構成による場合、運転不許可信号がオン状態になると、エンジン制御装置１３１およびミッション制御装置１３２によって車両の運転が阻止される。
【０１０２】
以上説明したように、本実施の形態の警告装置１２０は、運転者毎の運転免許情報および保険契約情報を記憶する電子運転免許証１１０と通信する通信部１２１と、電子運転免許証１１０から受信した運転免許情報および保険契約情報に基づいて運転者が保険契約に適合するか否かを判定する保険適合判定部１２６と、保険適合判定部１２６における判定結果に従って警告を発する警告部１２７とを備えるので、電子運転免許証１１０を所持した運転者が車両に乗り込んだとき、運転者が保険契約に適合しない場合には警告が発せられて、運転者が運転しないことになり、保険が適用されない運転者の運転を制限することができる。
【０１０３】
（第３の実施の形態）
図１を参照して本発明の第３の実施の形態の警告システム１００について説明する。本実施の形態においては、警告装置１２０の記憶部１２３が、車両に対して契約された車両保険の保険契約情報を予め記憶し、電子運転免許証１１０が、運転者に対して契約された運転者保険の保険契約情報を運転者毎の運転免許情報とあわせて予め記憶するようになっている。また、警告装置１２０の保険適合判定部１２６が、警告装置１２０の記憶部１２３に記憶された車両保険の保険契約情報と、電子運転免許証１１０から受信した運転免許情報ならびに運転者保険の保険契約情報と、警告装置１２０の時計部１２４が生成した現在年月日とを参照し、運転者が保険契約に適合しているか否かを判定するようになっている。
【０１０４】
警告装置１２０の保険適合判定部１２６は、第１の実施の形態における判定に加えて、電子運転免許証１１０から受信した運転者保険の保険契約情報が、警告装置１２０の記憶部１２３に記憶された車両保険の保険契約情報を補完するか否かを判定する。例えば、車両保険が年齢制限付きであって運転者に車両保険が適用されない場合であっても、運転者保険が適用されると判定した場合には、警告装置１２０の警告部１２７が警告を発しないようにする。
【０１０５】
また、警告装置１２０の記憶部１２３に保険限度額の閾値が設定されている場合、運転者保険の保険限度額が車両保険の保険限度額より大きいか否かを判定し、運転者保険の保険限度額が車両保険の保険限度額より大きい場合には、運転者保険の保険限度額を保険限度額の閾値と比較して、運転者の運転を制限するか否かを判定する。
【０１０６】
運転者が保険契約に適合していない場合には、警告部１２７によって、保険契約に適合していない旨の警告が発せられるとともに、運転許可信号出力部１２８によって、運転許可信号がオフ状態となって運転禁止を示し、エンジン制御装置１３１およびミッション制御装置１３２によって車両の運転が阻止される。また、運転者が保険契約に適合している場合であっても、保険限度額が予め設定した閾値に達しない場合には、警告部１２７によって、警告が発せられるとともに、運転許可信号出力部１２８によって、運転許可信号がオフ状態となって運転禁止を示し、エンジン制御装置１３１およびミッション制御装置１３２によって車両の運転が阻止される。
【０１０７】
本実施の形態では、運転許可信号出力部１２８が警告装置１２０に設けられているが、警告装置１２０が運転不許可を示す運転不許可信号を出力する運転不許可信号出力部を備える構成でもよい。この構成による場合、運転不許可信号がオン状態になると、エンジン制御装置１３１およびミッション制御装置１３２によって車両の運転が阻止される。
【０１０８】
以上説明したように、本実施の形態の警告装置１２０は、電子運転免許証１１０から受信した運転者保険の保険契約情報と警告装置１２０の記憶部１２３に記憶された車両保険の保険契約情報とを参照して保険契約内容が十分であるか否かを判定する保険適合判定部１２６を備えるので、車両保険に適合しない運転者であっても運転者保険に適合する運転者であれば運転をすることができる。また、運転者保険に適合する運転者であっても警告装置１２０の記憶部１２３に予め記憶された保険限度額に達しない場合には運転者の運転を制限することもできる。
【０１０９】
（第４の実施の形態）
図２を参照して本発明の第４の実施の形態の警告システム２００について説明する。なお、図２において、図１に示した第１の実施の形態における構成要素と同じ構成要素には同じ符号を付してある。
【０１１０】
図２において、警告装置１２０は、車両に載置され、車両の扉の開錠やエンジンの始動を行なうための電子キー２１０（情報記憶器）と通信し、電子キー２１０に記憶されている運転者毎の運転者情報を受信して、運転者の運転を制限するようになっている。
【０１１１】
電子キー２１０は、運転者毎の運転者情報を記憶する記憶部２１１と、警告装置１２０に送信する運転者情報を暗号化する暗号処理部２１２と、暗号化された運転者情報を警告装置１２０に送信する通信部２１３とを備える。なお、運転者情報には、運転者氏名、運転者生年月日、などの情報が含まれる。
【０１１２】
また、警告装置１２０は、受信部としての機能を有し電子キー２１０から運転者情報その他の情報を受信する通信部１２１と、電子キー２１０から受信した運転者情報その他の情報を復号化する暗号処理部１２２と、車両の保険契約情報を記憶する記憶部１２３と、現在年月日を計時する時計部１２４と、運転者情報および保険契約情報を参照して、運転者が保険契約に適合するか否かを判定する保険適合判定部１２６と、保険適合判定部１２６によって運転者が保険契約に適合しないと判定された場合に警告を発する警告部１２７と、保険適合判定部１２６が適合すると判定した場合に運転許可を示す運転許可信号を出力する運転許可信号出力部１２８と、記憶部１２３に情報を設定する設定部１２９とを備える。
【０１１３】
本実施の形態では、運転許可信号出力部１２８が警告装置１２０に設けられているが、警告装置１２０が運転不許可を示す運転不許可信号を出力する運転不許可信号出力部を備える構成でもよい。この構成による場合、運転不許可信号がオン状態になると、エンジン制御装置１３１およびミッション制御装置１３２によって車両の運転が阻止される。
【０１１４】
なお、第４の実施の形態の警告装置１２０は、第１の実施の形態の警告装置１２０と同じように電子運転免許証１１０と通信して運転免許診断と保険適用判定とを行うとともに、電子キー２１０と通信した場合には、運転免許診断を省略するようになっている。例えば、電子キー２１０であることを示す情報が、電子キー２１０の記憶部２１１に予め記憶され、電子キー２１０から警告装置１２０に送信されるようになっており、警告装置１２０が電子キー２１０であることを認識して、運転免許診断を省略するとともに保険適用判定を行なうようになっている。
【０１１５】
（第５の実施の形態）
図２を参照して本発明の第５の実施の形態の警告装置について説明する。図２に示すように、本実施の形態において、電子キー２１０が、運転者毎の運転者情報とあわせて保険契約情報を予め記憶するようになっている。また、警告装置１２０の保険適合判定部１２６が、電子キー２１０から受信した運転者毎の運転者情報ならびに保険契約情報と、警告装置１２０の時計部１２４が生成した現在年月日とを参照し、運転者が保険契約に適合しているか否かを判定するようになっている。
【０１１６】
なお、前述の第１の実施の形態から第４の実施の形態までにおいて、保険契約情報は、強制保険（自動車損害賠償責任保険）の保険契約情報のみであってもよく、任意保険の保険契約情報のみであってもよい。好ましくは、強制保険の保険契約情報と任意保険の保険契約情報とを両方とも参照して保険適用判定をするように構成する。
【０１１７】
また、保険契約情報は、車両に対して契約された自動車保険であってもよく、運転者に対して契約された運転者保険であってもよい。
【０１１８】
なお、保険が適用されるか否かの判断は、前述した年齢制限、家族限定、および契約期間に限るものではなく、保険の種類に応じてその他の契約内容について判定するようにしてもよいことは言うまでもない。
【０１１９】
また、保険が適用されなくなる前に予め警告するようにしてもよいことはいうまでもない。例えば、保険契約満了日の１カ月前に、保険契約が切れることを予め警告してもよい。
【０１２０】
また、警告装置１２０は、運転許可信号出力部１２８から運転許可を示す運転許可信号を出力するか否かを設定部１２９で設定するようにしてもよい。また、警告装置１２０は、運転不許可を示す運転不許可信号を出力する運転不許可信号出力部を備え、運転不許可信号出力部から運転不許可を示す運転不許可信号を出力するか否かを設定部１２９で設定するようにしてもよい。さらに、警告装置１２０は、運転許可信号出力部１２８を省略したものであってもよい。
【０１２１】
運転不許可を示す運転不許可信号が出力されない場合または運転許可を示す運転許可信号が出力される場合、エンジン制御装置１３１やミッション制御装置１３２による運転阻止が行なわれないが、運転者が保険契約に適合しない場合には、警告が発せられるので、運転者が運転しないことになり、保険が適用されない運転者の運転を制限することができる。また、保険適用がされない運転者が運転してしまうようなことがあっても、運転者が保険適用外であることを認識した上で運転することになるので、少なくとも運転意識が向上することになり、事故の減少につながる。また、保険適用範囲外の事故発生時、運転者が保険適用範囲外であることを既に認識しているので、保険会社は、被保険者との交渉時間が省略されることになる。
【０１２２】
（第６の実施の形態）
図３および図４を参照して本発明の第６の実施の形態である警告システム３００について説明する。図３に示すように、本実施の形態において、警告装置３２０は、取得部としての機能を有しインターネット等のネットワークを介して保険契約情報を取得する通信部１３４を備え、設定部１２９は、通信部１３４が受信した内容を設定するようになっている。
【０１２３】
また、警告装置３２０は、カード型メモリやディスク型メモリなどの着脱可能な記憶部３２３との間で情報の書き込み処理や読み取り処理を実行する読取書込部３２４を備えている。
【０１２４】
以下、図４を参照して本実施の形態における警告装置３２０の特徴的な動作について説明する。通信部１３４は、図示しない外部サーバとの間で通信を確立し、保険契約情報を取得する取得動作を開始する（ステップＳ１）。
【０１２５】
保険契約情報の取得が開始されると、読取書込部３２４は、取得されている保険契約情報を記憶部３２３に書き込む書込動作を開始する（ステップＳ２）。
【０１２６】
保険適合判定部１２６は、時計部１２４からの情報が示す時間を参照して、通信部１３４の取得動作および読取書込部３２４の書込動作に費やされている処理時間を算出し、算出された処理時間が所定の時間を超えているか否かを判定する（ステップＳ３）。例えば、所定の時間が３０秒に設定されて、処理時間が３０秒を超えているか否かが判定されるようにする。
【０１２７】
ステップＳ３において、処理時間が所定の時間を超えているとの判定がなされると、読取書込部３２４は、記憶部３２３に既に記憶されている既存の保険契約情報を読み取る（ステップＳ４）。このような場合に備えて、記憶部３２３には、パソコンや携帯電話などを通じて可能な限り新しい保険契約情報が予め記憶されていることが望ましい。
【０１２８】
他方、ステップＳ３において、処理時間が所定の時間を超えていないとの判定がなされると、読取書込部３２４は、現在取得中の保険契約情報が記憶部３２３に完全に書き込まれた後に、記憶部３２３に記憶された最新の保険契約情報を読み取る（ステップＳ５）。
【０１２９】
ステップＳ４またはステップＳ５において、保険契約情報が読み取られると、保険適合判定部１２６は、記憶部３２３に記憶された保険契約情報と通信部１２１によって受信された運転免許情報とを照合し、運転者が保険契約条件に適合するか否かを判定する（ステップＳ６）。
【０１３０】
ステップＳ６において、運転者が保険契約条件に適合するとの判定がなされると、運転許可信号出力部１２８は、運転許可を示す運転許可信号を出力する（ステップＳ７）。運転許可信号が出力されると、車両に設けられたエンジン制御装置１３１およびミッション制御装置１３２は、車両を動作させるための制御を行う。
【０１３１】
他方、ステップＳ６において、運転者が保険契約条件に適合しないとの判定がなされると、警告部１２７は、運転者が保険契約条件に適合しない旨を警告する（ステップＳ８）。
【０１３２】
ステップＳ８において、警告がなされると、運転許可信号出力部１２８は、運転許可を示す運転許可信号を出力しない（ステップＳ９）。運転許可信号が出力されないと、車両に設けられたエンジン制御装置１３１およびミッション制御装置１３２は、車両を動作させるための制御を行わない。
【０１３３】
本実施の形態によれば、最新の保険契約情報が通信部１３４によって取得されるので、保険条件に適合するかの判定処理が最新の保険契約情報に基づいて行われるので、最新の保険契約情報に基づく判定を正確に行うことができる。
【０１３４】
本実施の形態によれば、最新の保険契約情報が通信部１３４によって取得されない場合であっても、着脱可能な記憶部１３４に最新の保険契約情報が記憶されていれば、最新の保険契約情報に基づく判定を正確に行うことができる。
【０１３５】
本実施の形態によれば、最新の保険契約情報が取得されるのに時間を要する場合には、適合判定が既存の保険契約情報を用いてなされるので、出発が急がれる場合であっても、適合判定を速やか行うことができる。
【０１３６】
（第７の実施の形態）
図５および図６を参照して本発明の第７の実施の形態である警告システム４００について説明する。図５に示すように、警告システム４００は、運転免許情報を記憶する電子運転免許証４１０と、電子運転免許証４１０との間で通信を行う警告装置４２０と、警告装置４２０との間で通信を行う警告サーバ４３０とを備える。
【０１３７】
電子運転免許証４１０は、運転者の属性などを示す運転免許情報を記憶する記憶部４１１と、記憶部４１１に記憶された運転免許情報を送信する送受信部４１２とを備える。
【０１３８】
警告装置４２０は、電子運転免許証４１０からの運転免許情報を受信する送受信部４２１と、送受信部４２１によって受信された運転免許情報を送信するとともに外部から各種情報を受信する通信部４２２と、通信部４２２によって受信された情報に基づいて警告を行う警告部４２３と、通信部４２２によって受信された情報に基づいて運転許可信号を出力する運転許可信号出力部４２４とを備える。運転許可信号出力部４２４は、車両に設けられたエンジン制御装置４４１およびミッション制御装置４４２に接続されている。また、通信部４２２は、エンジン制御装置４４１およびミッション制御装置４４２に接続され、エンジン制御装置４４１およびミッション制御装置４４２が動作すると運転を開始したことを示す運転開始情報を送信する。
【０１３９】
警告サーバ４３０は、受信部としての機能、判定結果提供部としての機能および運転開始情報取得部としての機能を有し警告装置との間で各種情報を授受する通信部４３１と、保険契約条件を示す保険契約情報を記憶する記憶部４３２と、通信部４３１によって受信された運転免許情報と記憶部４３２によって記憶された保険契約情報とを照合して運転者の属性が保険契約条件に適合しているか否かを判定する保険適合判定部４３３と、通信部４３１によって取得された運転開始情報と保険適合判定部４３３の判定結果情報とを関連付けて管理情報として記憶する判定結果蓄積部４３４と、判定結果蓄積部４３４に記憶された管理情報に基づいて保険料課金モデルを決定する課金モデル決定部４３５とを備える。
【０１４０】
以下、図６および図７を参照して本実施の形態における警告システム４００の特徴的な動作について説明する。図６に示すように、電子運転免許証４１０において、送受信部４１２は記憶部４１１に記憶された運転免許情報を送信する（ステップＳ１１）。
【０１４１】
運転免許情報が送信されると、警告装置４２０において、送受信部４２１は運転免許証４１０からの運転免許情報を受信する（ステップＳ１２）。運転免許情報が受信されると、通信部４２２は、送受信部４２１によって受信された運転免許情報を送信する（ステップＳ１３）。
【０１４２】
運転免許情報が送信されると、警告サーバ４３０において、通信部４３１は警告装置４２０からの運転免許情報を受信する（ステップＳ１４）。運転免許情報が受信されると、保険適合判定部４３３は、記憶部４３２に記憶された保険契約情報を読み取る（ステップＳ１５）。保険契約情報が読み取られると、保険適合判定部４３３は、通信部４３１によって受信された運転免許情報と記憶部４３２によって記憶された保険契約情報とを照合して運転者の属性が保険契約条件に適合しているか否かを判定する（ステップＳ１６）。適合判定がなされると、通信部４３１は保険適合判定部４３３による判定結果を示す判定結果情報を送信する（ステップＳ１７）。また、判定結果蓄積部４３４は、保険適合判定部４３３による判定結果を示す判定結果情報を記憶する（ステップＳ１８）。
【０１４３】
判定結果情報が送信されると、警告装置４２０において、通信部４２２は警告サーバ４３０からの判定結果情報を受信する（ステップＳ１９）。受信された判定結果情報が適合する旨を示すと、運転許可信号出力部４２４は運転許可を示す運転許可信号を出力する（ステップＳ２０）。他方、受信された判定結果情報が適合しない旨を示すと、運転許可信号出力部４２４が運転許可を示す運転許可信号を出力せず、警告部４２３が運転者の属性が保険契約条件に適合しない旨を警告する（ステップＳ２１）。運転許可信号出力部４２４が運転許可信号を出力した場合または運転許可信号出力部４２４が機能していないために運転許可信号が出力されない場合において、エンジン制御装置４４１またはミッション制御装置４４２が動作すると、通信部４２２は運転開始を示す運転開始情報を送信する（ステップＳ２２）。
【０１４４】
運転開始情報が送信されると、警告サーバ４３０において、通信部４３１は警告装置４２０からの運転開始情報を受信する（ステップＳ２３）、運転開始情報が受信されると、図７に示すように、判定結果蓄積部４３４は判定結果情報と運転開始情報とを関連付けて管理情報として記憶する（ステップＳ２４）。管理情報が記憶されると、課金モデル決定部４３５は管理情報に基づいて課金モデルを決定する（ステップＳ２５）。具体的には、判定結果情報および運転開始情報の履歴から保険契約条件に適合する運転者のみが運転していることが判明すれば、本人割引などの運転者に有利な課金モデルが次契約から適用される。
【０１４５】
以上本実施の形態によれば、適合判定処理が警告サーバ４３０側で最新の保険契約情報に基づいて行われるので、最新の保険契約情報に基づく判定を効率よく実現することができる。
【０１４６】
本実施の形態によれば、運転者が保険契約条件に適合するか否かが判定結果情報に基づいて確認されるので、保険契約条件に適合しない運転者が事故を起こした場合に、保険会社は当該事故に対して保険を適用できない旨を被保険者に伝えることができる。
【０１４７】
本実施の形態によれば、図７に示すように、保険契約条件に適合する者が運転を行ったか否かが管理情報に基づいて確認されるので、保険契約条件に適合しない運転者が事故を起こした場合に、保険会社は当該事故に対して保険を適用できない旨を被保険者に断言することができる。また、被保険者が保険契約条件を遵守しているか否かが管理情報に基づいて確認されるので、保険会社は保険契約条件を遵守している被保険者に対して有利な保険料課金モデルを適用することができる。
【０１４８】
本実施の形態によれば、課金モデルが自動的に決定されるので、保険契約条件を遵守している被保険者に対して有利な保険料課金モデルを自動的に適用することができる。
【産業上の利用可能性】
【０１４９】
以上のように、本発明に係る警告装置、警告サーバ、警告システムおよび車両は、保険が適用されない運転者の運転を制限することができるという優れた効果を有する警告装置を提供することができるという効果を有し、車両を運転する人を制限する警告装置、警告サーバ、警告システムおよび車両等として有用である。
【図面の簡単な説明】
【０１５０】
【図１】本発明の第１、第２および第３の実施の形態である警告システムを示すブロック図
【図２】本発明の第４および第５の実施の形態である警告システムを示すブロック図
【図３】本発明の第６の実施の形態である警告システムを示すブロック図
【図４】本発明の第６の実施の形態における警告装置の動作を示すフローチャート
【図５】本発明の第７の実施の形態である警告システムを示すブロック図
【図６】本発明の第７の実施の形態である警告システムの動作を示すイベントフロー図
【図７】本発明の第７の実施の形態における判定結果蓄積部の管理情報を示す概念図
【符号の説明】
【０１５１】
１１０、２１０  情報記憶器
１１１、２１１  記憶部
１１２、２１２  暗号処理部
１１３、２１３  通信部
１２０  警告装置
１２１  通信部（受信部）
１２２  暗号処理部
１２３、３２３  記憶部
１２４  時計部
１２５  運転免許診断部
１２６  保険適合判定部
１２７  警告部
１２８  運転許可信号出力部
１２９  設定部
１３１  エンジン制御装置
１３２  ミッション制御装置
１３４  通信部（取得部）
３２４  読取書込部
４２３  警告部
４２４  運転許可信号出力部
４３１  通信部（受信部、判定結果情報提供部、運転開始情報取得部）
４３２  記憶部
４３３  保険適合判定部
４３４  判定結果蓄積部（判定結果情報記憶部）
４３５  課金モデル決定部
【図１】
2004171534.tif 000003
【図２】
2004171534.tif 000004
【図３】
2004171534.tif 000005
【図４】
2004171534.tif 000006
【図５】
2004171534.tif 000007
【図６】
2004171534.tif 000008
【図７】
2004171534.tif 000009